(57)【要約】【課題】本発明はプラズマディスプレイ装置、彼の駆動方法とプラズマディスプレイパネル及びプラズマディスプレイパネルの駆動装置を提供する。【解決手段】本発明のプラズマディスプレイ装置は、最低階調を表示するサブフィールドのサステイン期間中にスキャン電極またはサステイン電極に印加されるサステインパルスの幅が、他の階調を表示するサブフィールドのサステインパルス幅より小さくなるように制御することを特徴とする。【選択図】図５
2006235574.tif 000002
【特許請求の範囲】
【請求項１】
複数のスキャン電極及びサステイン電極と、前記スキャン電極及び前記サステイン電極と交差されるように形成されたアドレス電極とを含むプラズマディスプレイパネルと、
前記スキャン電極、前記サステイン電極及び前記アドレス電極を駆動するための電極駆動部と、
前記電極駆動部を制御して、最低階調を表示するサブフィールドのサステイン期間中に前記スキャン電極または前記サステイン電極に印加されるサステインパルスの幅が、他の階調を表示するサブフィールドのサステインパルス幅より小さくなるように制御するサステインパルス制御部と、
を含むプラズマディスプレイ装置。
【請求項２】
前記サステインパルス制御部は、前記最低階調を表示するサブフィールドのサステイン期間中に印加されるサステインパルスの幅を３μｓ以下に調節することを特徴とする、請求項１記載のプラズマディスプレイ装置。
【請求項３】
前記サステインパルス制御部は、前記電極駆動部を制御して、最低階調を表示するために印加されるサステインパルスを前記スキャン電極または前記サステイン電極の中で何れか一方の電極にだけ印加させることを特徴とする、請求項１または２記載のプラズマディスプレイ装置。
【請求項４】
複数のスキャン電極及びサステイン電極と、前記スキャン電極及び前記サステイン電極と交差されるように形成されたアドレス電極とを含むプラズマディスプレイパネルと、
前記スキャン電極、前記サステイン電極及び前記アドレス電極を駆動するための電極駆動部と、
前記電極駆動部を制御して、最低階調を表示するサブフィールドのサステイン期間中に前記スキャン電極または前記サステイン電極に印加されるサステインパルスの電圧が、他の階調を表示するサブフィールドのサステインパルスの電圧より小さくなるように制御するサステインパルス制御部と、
を含むプラズマディスプレイ装置。
【請求項５】
前記サステインパルス制御部は、前記最低階調を表示するために印加されるサステインパルスの電圧をサステイン電圧（Ｖｓ）より低くすることを特徴とする、請求項４記載のプラズマディスプレイ装置。
【請求項６】
前記最低階調を表示するために印加されるサステインパルスは、前記スキャン電極または前記サステイン電極の中で何れか一方の電極にだけ印加されることを特徴とする、請求項４または５記載のプラズマディスプレイ装置。
【請求項７】
複数のスキャン電極及びサステイン電極と、前記スキャン電極及び前記サステイン電極と交差されるように形成されたアドレス電極とを含むプラズマディスプレイパネルと、
前記スキャン電極、前記サステイン電極及び前記アドレス電極を駆動するための電極駆動部と、
前記電極駆動部を制御して、最低階調を表示するサブフィールドのサステイン期間中に前記スキャン電極または前記サステイン電極に印加されるサステインパルスの傾きを、他の階調を表示するサブフィールドのサステインパルスの傾きより小さくなるように制御するサステインパルス制御部と、
を含むプラズマディスプレイ装置。
【請求項８】
前記サステインパルス制御部は、前記最低階調を表示するために印加されるサステインパルスの傾きを５０Ｖ/μｓ以下にすることを特徴とする、請求項７記載のプラズマディスプレイ装置。
【請求項９】
前記最低階調を表示するために印加されるサステインパルスは、前記スキャン電極または前記サステイン電極の中で何れか一方の電極にだけ印加されることを特徴とする、 請求項７または８記載のプラズマディスプレイ装置。
【請求項１０】
複数のスキャン電極及びサステイン電極と、前記スキャン電極及び前記サステイン電極と交差されるように形成されたアドレス電極とを含むプラズマディスプレイパネルを駆動する駆動装置において、
前記スキャン電極、前記サステイン電極及び前記アドレス電極を駆動するための電極駆動部と、
前記電極駆動部を制御して、最低階調を表示するサブフィールドのサステイン期間中に前記スキャン電極またはサステイン電極に印加されるサステインパルスの幅が他の階調を表示するサブフィールドのサステインパルス幅より小さくなるように制御するサステインパルス制御部と、
を含むプラズマディスプレイパネルの駆動装置。
【請求項１１】
複数のスキャン電極及びサステイン電極と、前記スキャン電極及び前記サステイン電極と交差されるように形成されたアドレス電極とを含むプラズマディスプレイパネルを駆動する駆動装置において、
前記スキャン電極、前記サステイン電極及び前記アドレス電極を駆動するための電極駆動部と、
前記電極駆動部を制御して、最低階調を表示するサブフィールドのサステイン期間中に前記スキャン電極または前記サステイン電極に印加されるサステインパルスの電圧が他の階調を表示するサブフィールドのサステインパルスの電圧より小さくなるように制御するサステインパルス制御部と、
を含むプラズマディスプレイパネルの駆動装置。
【請求項１２】
複数のスキャン電極及びサステイン電極と、前記スキャン電極及び前記サステイン電極と交差されるように形成されたアドレス電極とを含むプラズマディスプレイパネルを駆動する駆動装置において、
前記スキャン電極、前記サステイン電極及び前記アドレス電極を駆動するための電極駆動部と、
前記電極駆動部を制御して、最低階調を表示するサブフィールドのサステイン期間中に前記スキャン電極または前記サステイン電極に印加されるサステインパルスの傾きを他の階調を表示するサブフィールドのサステインパルスの傾きより小さくなるように制御するサステインパルス制御部と、
を含むプラズマディスプレイパネルの駆動装置。
【請求項１３】
複数のスキャン電極及びサステイン電極と、前記スキャン電極及びサステイン電極と交差されるように形成されたアドレス電極とを含むプラズマディスプレイパネルにおいて、
最低階調を表示するサブフィールドのサステイン期間中に前記スキャン電極または前記サステイン電極に印加されるサステインパルスの幅が、他の階調を表示するサブフィールドのサステインパルス幅より小さいことを特徴とする、
プラズマディスプレイパネル。
【請求項１４】
複数のスキャン電極及びサステイン電極と、前記スキャン電極及び前記サステイン電極と交差されるように形成されたアドレス電極とを含むプラズマディスプレイパネルにおいて、
最低階調を表示するサブフィールドのサステイン期間中に前記スキャン電極または前記サステイン電極に印加されるサステインパルスの電圧が、他の階調を表示するサブフィールドのサステインパルスの電圧より小さいことを特徴とする、
プラズマディスプレイパネル。
【請求項１５】
複数のスキャン電極及びサステイン電極と、前記スキャン電極及び前記サステイン電極と交差されるように形成されたアドレス電極とを含むプラズマディスプレイパネルにおいて、
最低階調を表示するサブフィールドのサステイン期間中に前記スキャン電極または前記サステイン電極に印加されるサステインパルスの傾きを、他の階調を表示するサブフィールドのサステインパルスの傾きより小さくすることを特徴とする、
プラズマディスプレイパネル。
【請求項１６】
発光回数が異なる複数個のサブフィールドがリセット期間、アドレス期間、サステイン期間に分けられて画像を表現するプラズマディスプレイ装置の駆動方法において、
前記複数個のサブフィールドの中で最低階調を表示するサブフィールドのサステイン期間に印加されるサステインパルスの幅は、他の階調を表示するサブフィールドのサステイン期間に印加されるサステインパルスの幅より狭いことを特徴とする、
プラズマディスプレイ装置の駆動方法。
【請求項１７】
発光回数が異なる複数個のサブフィールドがリセット期間、アドレス期間、サステイン期間で分けられて画像を表現するプラズマディスプレイ装置の駆動方法において、
前記複数個のサブフィールドの中で最低階調を表示するサブフィールドのサステイン期間に印加されるサステインパルスの電圧は、他の階調を表示するサブフィールドのサステイン期間に印加されるサステインパルスの電圧より低いことを特徴とする、
プラズマディスプレイ装置の駆動方法。
【請求項１８】
発光回数が異なる複数個のサブフィールドがリセット期間、アドレス期間、サステイン期間で分けられて画像を表現するプラズマディスプレイ装置の駆動方法において、
前記複数個のサブフィールドの中で最低階調を表示するサブフィールドのサステイン期間に印加されるサステインパルスの傾きは、他の階調を表示するサブフィールドのサステイン期間に印加されるサステインパルスの傾きより小さいことを特徴とする、
プラズマディスプレイ装置の駆動方法。
【発明の詳細な説明】
【技術分野】
【０００１】
本発明は、プラズマディスプレイパネルに関し、より詳しくは、画質を進めることができるプラズマディスプレイ装置とその駆動方法、プラズマディスプレイパネル及びプラズマディスプレイパネルの駆動装置に関する。
【背景技術】
【０００２】
一般的にプラズマディスプレイパネル（Ｐｌａｓｍａ Ｄｉｓｐｌａｙ Ｐａnｅｌ： 以下 “ＰＤＰ"とする)は、Ｈｅ＋Ｘｅ、Ｎｅ＋Ｘｅ又はＨｅ＋Ｎｅ＋Ｘｅからなる不活性混合ガスの放電の時発生する１４７ｎｍの紫外線によって蛍光体を発光させることで文字またはグラフィックを含んだ画像を表示する。
【０００３】
図１は、従来のマトリックス形態に配列された放電セル構造を持つ３電極交流面放電型ＰＤＰの構造を示す斜視図である。図１を参照すれば、３電極交流面放電型ＰＤＰ１００は、上部基板１０と下部基板２０とを備えている。また、ＰＤＰ１００は、上部基板１０上に形成されたスキャン電極１１ａ及びサステイン電極１２ａと、下部基板２０上に形成されたアドレス電極２２とを備える。スキャン電極１１ａ及びサステイン電極１２ａそれぞれは、透明電極例えば、インジウムティンオキサイド（Ｉnｄｉｕｍ−Ｔｉn−ＯＸｉｄｅ ： ＩＴＯ）により形成される。スキャン電極１１ａ及びサステイン電極１２ａそれぞれには、抵抗を減らすための金属バス電極(１１ｂ、１２ｂ)が形成される。スキャン電極１１ａとサステイン電極１２ａが形成された上部基板１０には、上部誘電体層１３ａと保護膜１４とが積層される。上部誘電体層１３ａには、プラズマ放電の時発生された壁電荷が蓄積される。保護膜１４は、プラズマ放電の時発生されたスパッタリング（ｓｐｕｔｔｅｒｉnｇ）による上部誘電体層１３ａの損傷を防止すると共に、２次電子の放出效率を高める。保護膜１４には、通常、酸化マグネシウム（ＭＧＯ）が使用される。
【０００４】
一方、アドレス電極２２が形成された下部基板２０上には、下部誘電体層１３ｂ、隔壁２１が形成される。下部誘電体層１３ｂと隔壁２１の表面には蛍光体層２３が塗布される。アドレス電極２２は、スキャン電極１１ａ及びサステイン電極１２ａと交差される方向に形成される。隔壁２１は、アドレス電極２２と並んで形成され、放電によって生成された紫外線及び可視光が隣接した放電セルに漏洩することを防止する。蛍光体層２３は、プラズマ放電の時発生された紫外線によって励起されて、赤色(Ｒ)、緑色(Ｇ)または青色(Ｂ)中何れか一つの可視光線を発生する。上部基板１０と下部基板２０の間に於いて隔壁２１によって区画された放電セルの放電空間には、放電のためのＨｅ＋Ｘｅ、Ｎｅ＋Ｘｅ又はＨｅ＋Ｎｅ＋Ｘｅなどの不活性混合ガスが注入される。このような構造を持つ従来ＰＤＰの駆動方法は、以下の図２のようになる。
【０００５】
図２は、従来のＰＤＰの駆動方法を説明するための駆動波形である。図２を参照すると、従来ＰＤＰのは、全画面を初期化させるためのリセット期間、セルを選択するためのアドレス期間及び選択されたセルの放電を維持させるためのサステイン期間に分けられて駆動される。
【０００６】
リセット期間は、セットアップ期間(ＳＵ)とセッダウン期間(ＳＤ)に分けられて駆動される。セットアップ期間(ＳＵ)には、すべてのスキャン電極(Ｙ)に上昇ランプ波形(Ｒａｍｐ−ｕｐ)が同時に印加される。この上昇ランプ波形によって全画面のセル内には放電が起きる。このセットアップ放電によってアドレス電極(Ｘ)とサステイン電極(Ｚ)上には正極性壁電荷が積もり、スキャン電極(Ｙ)上には負極性の壁電荷が積もる。セットアップ期間に於いて上昇ランプ波形が供給された後、セッダウン期間(ＳＤ)には、上昇ランプ波形のピーク電圧より低い正極性電圧から落ち始めて基底電圧(ＧNＤ)または負極性の特定電圧レベルまで落ちる下降ランプ波形(Ｒａｍｐ−ｄｏｗn)が印加される。これにより、セル内に微弱な消去放電が引き起こされ、過度に形成された壁電荷を一部消去される。このセットダウン放電によってアドレス放電が安定に起きることができる程度の壁電荷がセル内に均一に残留される。
【０００７】
アドレス期間は、負極性スキャンパルス（ｓｃａｎ）がスキャン電極(Ｙ)に順次に印加されると共に、スキャンパルスに同期されてアドレス電極(Ｘ)に正極性のデータパルス(ｄａｔａ)が印加される。このスキャンパルスとデータパルスの電圧差と、リセット期間に生成された壁電圧とが加わりながら、データパルスが印加されるセル内にはアドレス放電が発生される。アドレス放電によって選択されたセル内には、サステイン電圧が印加される時放電が起きることができる程度の壁電荷が形成される。サステイン電極(Ｚ)には、セッダウン期間とアドレス期間の間に正極性直流電圧(Ｚdc)が供給される。正極性直流電圧(Ｚdc)は、スキャン電極(Ｙ)との電圧差を減らしてスキャン電極(Ｙ)との誤放電が起きないようにするために供給される。
【０００８】
サステイン期間には、スキャン電極(Ｙ)とサステイン電極(Ｚ)に交番的にサステインパルス(ＳＵＳ)が印加される。アドレス放電によって選択されたセルは、セル内の壁電圧とサステインパルスとが加わりながら、毎サステインパルスが印加される時毎にスキャン電極(Ｙ)とサステイン電極(Ｚ)の間にサステイン放電すなわち、表示放電が起きるようになる。また、サステイン放電が完了する後には、パルス幅と電圧レベルが小さなランプ波形(Ｒａｍp-eｒs)がサステイン電極(Ｚ)に供給されて全画面のセル内に残る壁電荷を消去させる。
【０００９】
このように駆動される従来のＰＤＰの画像階調を表現する方法をよく見れば次のようである。
【００１０】
図３は、従来のＰＤＰの画像階調を表現する方法を示す。図示するように、ＰＤＰの画像階調は、一フレームを発光回数が違う複数のサブフィールドに分けられて駆動して、各サブフィールドは放電を均一に起こすためのリセット期間、放電セルを選択するためのアドレス期間及び放電回数にしたがって階調を具現するサステイン期間に分けられて表現される。例えば、２５６階調で画像を表示しようとする場合には、１/６０秒にあたるフレーム期間(１６．６７ｍｓ)は８個のサブフィールドで分けられ、８個のサブフィールドそれぞれはリセット期間、アドレス期間、サステイン期間にさらに分けられる。ここで、各サブフィールドのリセット期間及びアドレス期間は各サブフィールドごとに等しい一方、サステイン期間は各サブフィールドで２n(n = ０、１、２、３、４、５、６、７)の割合で増加される。
【００１１】
以上のように従来のＰＤＰの画像階調は、各サブフィールドのサステイン期間で発生される放電回数が調節されて階調を表現するようになるが、より正確には、各サブフィールドに付与された輝度加重値によって階調が表現される。すなわち、第1サブフィールド(ＳＦ１)の輝度加重値が一番低い２０に設定されれば、前述した従来のＰＤＰ駆動方法のように、第1サブフィールド(ＳＦ１)のアドレス期間にはアドレス電極(Ｘ)にデータパルスが供給されて、そのデータパルスに同期されるようにスキャン電極(Ｙ)に順にスキャンパルスが供給される。このようなデータパルスとスキャンパルスの間の電圧の差とセル内の壁電圧とが加わりながら、データパルスが印加されたセルはアドレス放電が起きるようになる。この時、第1サブフィールド(ＳＦ１)のサステイン期間には、輝度加重値 '２０'に対応するサステインパルスが供給され、アドレス期間で選択されたセルはサステインパルスと内部壁電圧とが加わりながら放電が発生されて階調を表現する。
【００１２】
しかし、このような従来ＰＤＰ階調表現方法は、輝度加重値が２０未満すなわち、１未満の階調を表現することができない問題点がある。すなわち、従来のＰＤＰは、各サブフィールドごとに自然数の輝度加重値にそれぞれ設定されていて、自然数の輝度加重値が設定されたサブフィールドの組合によって生成される輝度加重値も自然数の値で表現される。
【００１３】
したがって、従来のＰＤＰ階調表現方法では、自然数以下の細密な階調を表現することができなくなり、これによって画質向上に一定の限界がある。
【発明の開示】
【発明が解決しようとする課題】
【００１４】
本発明の目的は、前述の問題点を解決するために自然数未満のより細密な階調を表現して画質を向上させることができるプラズマディスプレイ装置、プラズマディスプレイパネルの駆動装置、プラズマディスプレイパネル及びその駆動方法を提供することにある。
【課題を解決するための手段】
【００１５】
前述した目的を果たすための本発明の第１実施形態によるプラズマディスプレイ装置は、複数のスキャン電極及びサステイン電極が対を成して上部基板に形成され、前記スキャン電極及び前記サステイン電極と交差されるようにアドレス電極が下部基板に形成されるプラズマディスプレイパネルと、前記スキャン電極、前記サステイン電極及び前記アドレス電極を駆動するための電極駆動部、及び前記電極駆動部を制御して、最低階調を表示するサブフィールドのサステイン期間中に前記スキャン電極または前記サステイン電極に印加されるサステインパルスの幅が、他の階調を表示するサブフィールドのサステインパルス幅より小さくなるように制御するサステインパルス制御部と、を含む。
【００１６】
サステインパルス制御部は、前記最低階調を表示するサブフィールドのサステイン期間中に印加されるサステインパルスの幅を３μｓ以下に調節することを特徴とする。
【００１７】
サステインパルス制御部は、前記駆動部を制御して、最低階調を表示するために印加されるサステインパルスをスキャン電極またはサステイン電極の中で何れか一方の電極にだけ印加させることを特徴とする。
【００１８】
本発明の第２実施形態によるプラズマディスプレイ装置は、複数のスキャン電極及びサステイン電極が対を成して上部基板に形成され、前記スキャン電極及び前記サステイン電極と交差されるようにアドレス電極が下部基板に形成されるプラズマディスプレイパネルと、前記スキャン電極、前記サステイン電極及び前記アドレス電極を駆動するための電極駆動部と、前記電極駆動部を制御して、最低階調を表示するサブフィールドのサステイン期間中に前記スキャン電極または前記サステイン電極に印加されるサステインパルスの電圧が、他の階調を表示するサブフィールドのサステインパルスの電圧より小さくなるように制御するサステインパルス制御部と、を含む。
【００１９】
第２実施形態によるサステインパルス制御部は、前記最低階調を表示するために印加されるサステインパルスの電圧をサステイン電圧(Ｖｓ)より低くすることを特徴とする。
【００２０】
この時、最低階調を表示するために印加されるサステインパルスは、スキャン電極またはサステイン電極の中で何れか一方の電極にだけ印加されることを特徴とする。
【００２１】
本発明の第３実施形態によるプラズマディスプレイ装置は、複数のスキャン電極及びサステイン電極が対を成して上部基板に形成され、前記スキャン電極及び前記サステイン電極と交差されるようにアドレス電極が下部基板に形成されるプラズマディスプレイパネルと、前記スキャン電極、前記サステイン電極及び前記アドレス電極を駆動するための電極駆動部と、前記電極駆動部を制御して、最低階調を表示するサブフィールドのサステイン期間中に前記スキャン電極または前記サステイン電極に印加されるサステインパルスの傾きを、他の階調を表示するサブフィールドのサステインパルスの傾きより小さくなるように制御するサステインパルス制御部と、を含む。
【００２２】
第３実施形態によるサステインパルス制御部は、前記最低階調を表示するために印加されるサステインパルスの傾きを５０Ｖ/μｓ以下にすることを特徴とする。
【００２３】
この時、最低階調を表示するために印加されるサステインパルスは、スキャン電極またはサステイン電極の中で何れか一方の電極にだけ印加されることを特徴とする。
【００２４】
本発明の第１実施形態によるプラズマディスプレイ装置の駆動方法は、発光回数が異なる複数個のサブフィールドがリセット期間、アドレス期間、サステイン期間に分けられて、前記複数個のサブフィールドの中で最低階調を表示するサブフィールドのサステイン期間に印加されるサステインパルスの幅は、他の階調を表示するサブフィールドのサステイン期間に印加されるサステインパルスの幅より狭いことを特徴とする。
【００２５】
この時、最低階調を表示するサブフィールドのサステイン期間に印加されるサステインパルスの幅は３μｓ以下であることを特徴とする。
【００２６】
この時、最低階調を表示するサブフィールドのサステイン期間に印加されるサステインパルスは、前記スキャン電極または前記サステイン電極の中で何れか一方の電極にだけ印加されることを特徴とする。
【００２７】
本発明の第２実施形態によるプラズマディスプレイ装置の駆動方法は、発光回数が異なる複数個のサブフィールドがリセット期間、アドレス期間、サステイン期間に分けられて、前記複数個のサブフィールドの中で最低階調を表示するサブフィールドのサステイン期間に印加されるサステインパルスの電圧は、他の階調を表示するサブフィールドのサステイン期間に印加されるサステインパルスの電圧より低いことを特徴とする。
【００２８】
この時、最低階調を表示するサブフィールドのサステイン期間に印加されるサステインパルスの電圧はサステイン電圧(Ｖｓ)より低いことを特徴とする。
【００２９】
この時、最低階調を表示するサブフィールドのサステイン期間に印加されるサステインパルスはスキャン電極またはサステイン電極の中で何れか一方の電極にだけ印加されることを特徴とする。
【００３０】
本発明の第３実施形態によるプラズマディスプレイ装置の駆動方法は、発光回数が違う複数個のサブフィールドがリセット期間、アドレス期間、サステイン期間で分けられて、前記複数個のサブフィールドの中で最低階調を表示するサブフィールドのサステイン期間に印加されるサステインパルスの傾きは、他の階調を表示するサブフィールドのサステイン期間に印加されるサステインパルスの傾きより小さなことを特徴とする。
【００３１】
この時、最低階調を表示するサブフィールドのサステイン期間に印加されるサステインパルスの傾きは、５０Ｖ/μｓ以下のことを特徴とする。
【００３２】
この時、最低階調を表示するサブフィールドのサステイン期間に印加されるサステインパルスは、スキャン電極またはサステイン電極の中で何れか一方の電極にだけ印加されることを特徴とする。
【発明の効果】
【００３３】
前述したように、本発明は、自然数未満の輝度加重値をサブフィールドに付与することでより細密な階調を表現するによってプラズマディスプレイパネルの画質を向上させることができる効果がある。
【発明を実施するための最良の形態】
【００３４】
以下、本発明の実施形態を添付した図面を参照してより詳しく説明する。
<第１実施形態>
図４は、本発明の第１実施形態によるプラズマディスプレイ装置を示す図である。図４を参照すれば、本発明の第１実施形態によるプラズマディスプレイ装置は、プラズマディスプレイパネル１００と、プラズマディスプレイパネル１００の下部基板(図示せず)に形成されたアドレス電極(Ｘ１乃至Ｘｍ)にデータを供給するためのデータ駆動部１２２と、スキャン電極(Ｙ１乃至Ｙn)を駆動するためのスキャン駆動部１２３と、共通電極であるサステイン電極(Ｚ)を駆動するためのサステイン駆動部１２４と、最低階調を表示するためのサブフィールドでサステインパルスの幅を調節するサステインパルス制御部１２６と、プラズマディスプレイパネル駆動の時にデータ駆動部１２２、スキャン駆動部１２３、サステイン駆動部１２４及びサステインパルス制御部１２６を制御するためのタイミングコントロール部１２１と、それぞれの駆動部(１２２、１２３、１２４)に必要な駆動電圧を供給するための駆動電圧発生部１２５と、を含む。
【００３５】
プラズマディスプレイパネル１００は、上部基板(図示せず)と下部基板(図示せず)とが一定な間隔を置いて合着されて構成されている。上部基板には、複数の電極例えば、スキャン電極(Ｙ１乃至 Ｙn)及びサステイン電極(Ｚ)が対を成して形成されている。下部基板には、スキャン電極(Ｙ１乃至Ｙn)及びサステイン電極(Ｚ)と交差されるようにアドレス電極(Ｘ１乃至Ｘｍ)が形成されている。
【００３６】
データ駆動部１２２には、図示しない逆ガンマ補正回路及び誤差拡散回路などによって逆ガンマ補正及び誤差拡散された後、サブフィールドマッピング回路によって各サブフィールドにマッピングされたデータが供給される。このようなデータ駆動部１２２は、タイミングコントロール部１２１からのタイミング制御信号（ＣＴＲＸ）に応答してデータをサンプリングしてラッチした後、そのデータをアドレス電極(Ｘ１乃至Ｘｍ)に供給する。
【００３７】
スキャン駆動部１２３は、タイミングコントロール部１２１の制御下に、リセット期間の間に上昇ランプ波形(Ｒａｍｐ−ｕｐ)と下降ランプ波形(Ｒａｍｐ−ｄｏｗn)とをスキャン電極(Ｙ１乃至Ｙn)に供給する。また、スキャン駆動部１２３は、タイミングコントローラ１２１の制御下に、アドレス期間の間にスキャン電圧(-Ｖｙ)のスキャンパルス（Ｓｐ）をスキャン電極(Ｙ１乃至Ｙn)に順に供給する。さらに、スキャン駆動部１２３は、サステイン期間の間には、輝度加重値によってすなわち、階調値によってサステインパルス制御部１２６によって幅が調節されたサステインパルス(ｓｕｓ)をスキャン電極(Ｙ１乃至Ｙn)に供給する。望ましくは、最低階調を表示するサブフィールドのサステイン期間中に幅が調節されたサステインパルス(ｓｕｓ)をスキャン電極(Ｙ１乃至Ｙn)に供給する。ここで、 最低階調とは、プラズマディスプレイパネルを複数個のサブフィールドに分けて駆動する時、各サブフィールドごとに輝度加重値を置いて階調を表現する時、一番低い輝度加重値を持つサブフィールドでの階調値を言う。より正確に言うと、所定サブフィールドのサステイン期間に輝度加重値が２０以下を持つサステインパルスが供給されて現われた階調を言う。
【００３８】
サステイン駆動部１２４は、タイミングコントロール部１２１の制御下に、下降ランプ波形(Ｒａｍｐ−ｄｏｗn)が発生される期間とアドレス期間の間とに、サステイン電圧(Ｖｓ)のバイアス電圧をサステイン電極(Ｚ)に供給する。サステイン駆動部１２４は、サステイン期間の間に、スキャン駆動部１２３と交互に動作してサステインパルス(ｓｕｓ)をサステイン電極(Ｚ)に供給する。また、サステイン駆動部１２４も、タイミングコントロール部１２１の制御下に、スキャン駆動部１２３と同じくサステイン期間の間には輝度加重値によってすなわち、階調値によってサステインパルス制御部１２６によって幅が調節されたサステインパルス(ｓｕｓ)を、スキャン電極(Ｙ１乃至Ｙn)に供給する。望ましくは複数個のサブフィールドの中で最低階調を表示するサブフィールドでタイミングコントロール部１２１の制御下にパルスの幅が調節されたサステインパルスをサステイン電極(Ｚ)に供給する。
【００３９】
サステインパルス制御部１２６は、各サブフィールドにマッピングされたデータの階調値によってタイミングコントロール部１２１の制御信号に応答して、サステイン期間に供給されるサステインパルスの幅を調節する。望ましくは、複数個のサブフィールドの中で最低階調を表示するサブフィールドのサステイン期間中には、残り他の階調を表示するサブフィールドのサステイン期間中に印加されるサステインパルスの幅(Ｗ２)とは異なる幅(Ｗ１)を持つサステインパルスをスキャン駆動部１２３及びサステイン駆動部１２４に供給する。すなわち、最低階調を表示するサステインパルスの幅(Ｗ１)は、最小限サステイン放電ができる幅よりは広く、かつ、残り他の階調を表示するサステインパルスの幅(Ｗ２)より狭くして供給される。この時、最低階調を表示するためのサステインパルスは、スキャン電極(Ｙ１乃至Ｙn)またはサステイン電極(Ｚ)中何れか一方の電極にだけ印加されて、最低階調を表示するためのサステインパルスの幅は３μｓ以下に調節される。
【００４０】
サステインパルス幅の上限値である３μｓは、一般的な幅を持つサステインパルスがスキャン電極(Ｙ１乃至Ｙn)またはサステイン電極(Ｚ)に供給されて出た光量と比べて、階調差を持つことができる数値である。このようなサステインパルス制御部１３６は、スキャン駆動部１３３またはサステイン駆動部１３４に内蔵することができる。
【００４１】
タイミングコントロール部１２１は、垂直/水平同期信号とクロック信号の入力を受けて、リセット期間、アドレス期間、サステイン期間に、各駆動部(１２２、１２３、１２４)とサステインパルス制御部１２６との動作タイミング及び同期を制御するためのタイミング制御信号(ＣＴＲＸ、ＣＴＲＹ、ＣＴＲＺ、ＣＴＲＥＲＳ１)を発生する。タイミングコントロール部１２１は、そのタイミング制御信号(ＣＴＲＸ、ＣＴＲＹ、ＣＴＲＺ、ＣＴＲＥＲＳ１)を該当の駆動部(１２２、１２３、１２４)とサステインパルス制御部１２６に供給することで、各駆動部及び制御部(１２２、１２３、１２４、１２６)を制御する。
【００４２】
一方、データ制御信号（ＣＴＲＸ）には、データをサンプリングするためのサンプリングクロック、ラッチ制御信号、エネルギー回収回路と駆動スィッチ素子のオン/オフタイムを制御するためのスィッチ制御信号が含まれる。スキャン制御信号(ＣＴＲＹ)には、スキャン駆動部１２３内のエネルギー回収回路と駆動スィッチ素子のオン/オフタイムを制御するためのスィッチ制御信号が含まれている。サステイン制御信号(ＣＴＲＺ)には、サステイン駆動部１２４内のエネルギー回収回路と駆動スィッチ素子のオン/オフタイムを制御するためのスィッチ制御信号が含まれる。また、サステインパルスタイミング制御信号(ＣＴＲＥＲＳ１)には、サステインパルスの幅を選択するためのスィッチ素子の制御信号が含まれる。
【００４３】
駆動電圧発生部１２５は、セットアップ電圧(Ｖｓｅｔｕｐ)、スキャン共通電圧(Ｖｓｃａｎ−ｃｏｍ)、スキャン電圧(-Ｖｙ)、サステイン電圧(Ｖｓ)、データ電圧(Ｖｄ)などを発生する。このような駆動電圧は、放電ガスの組成や放電セル構造によって変わることができる。
【００４４】
図５は、本発明の第１実施形態によるプラズマディスプレイ装置の駆動方法を説明するための図である。図５を参照すれば、本発明の第１実施形態によるプラズマディスプレイパネルの駆動方法は、一フレーム期間をリセット期間、アドレス期間及びサステイン期間をそれぞれ含む複数のサブフィールド(ＳＦ１、ＳＦ２、ＳＦ３、ＳＦ４、・・・)に時分割して、各サブフィールドはそれぞれ所定の輝度加重値を持つように設定される。詳しくは、輝度加重値が一番低いサブフィールド(ＳＦ１)に供給されるサステインパルスは、他の輝度加重値を持つサブフィールド(ＳＦ２、ＳＦ３、ＳＦ４、・・・)に供給されるサステインパルスの幅と異なるように調節されて供給される。これをより詳しく説明すると次の通りである。
(第１サブフィールド)
先ず、第１サブフィールド(ＳＦ１)のリセット期間は、正極性の高いリセットパルス(図示せず)または所定傾きを持つランプ信号形態のセットアップ/セットダウンパルスがスキャン電極(Ｙ)に供給されて、全画面のセル内にリセット放電を起こす。リセット放電によっての全画面のセルは均一に壁電荷が蓄積されるので放電特性が均一になる。
【００４５】
アドレス期間には、アドレス電極(Ｘ)にデータパルス(ｄａｔａ)が供給されて、そのデータパルス(ｄａｔａ)に同期されるように、スキャン電極(Ｙ)に順に負極性スキャンパルス（ｓｃａｎ）が供給される。このスキャンパルスとデータパルスの電圧差と、リセット期間に生成された壁電圧が加わりながら、データパルスが印加されるセル内にはアドレス放電が発生される。
【００４６】
サステイン期間にはスキャン電極(Ｙ)またはサステイン電極(Ｚ)にサステインパルス(ＳＵＳ)が交番的に供給されることができるが、望ましくは図示するように、スキャン電極(Ｙ)またはサステイン電極(Ｚ)中何れか一方の電極にだけサステインパルスが供給される。サステインパルスの幅(Ｗ１)は、他のサブフィールド(ＳＦ２、ＳＦ３、ＳＦ４、・・・)のサステイン期間に印加されるサステインパルス(Ｗ２)の幅よりさらに狭く設定されて供給される。この時のサステインパルスの幅(Ｗ１)は、３μｓ以下である。サステインパルスの幅(Ｗ１)に対する数値限定値は、前に説明したように一般的な幅(Ｗ２)を持つサステインパルスがパネルに供給されて出た光量と比べて階調差を持つことができる値である。
(第２サブフィールド)
第２サブフィールド(ＳＦ２)のリセット期間及びアドレス期間は、第１サブフィールドのリセット期間とアドレス期間と同様である。ただし、サステイン期間には、第１サブフィールドと同じくスキャン電極(Ｙ)またはサステイン電極(Ｚ)にサステインパルス(ＳＵＳ)が交番的に供給されるが、望ましくは図示するように、スキャン電極(Ｙ)またはサステイン電極(Ｚ)中何れか一方の電極にだけサステインパルスが供給されてサステイン放電が起きる。この時、サステインパルスの幅(Ｗ２)は従来一般的に供給されるサステインパルスの幅(Ｗ２)と等しい。
(第３サブフィールド)
第３サブフィールド(ＳＦ３)のリセット期間及びアドレス期間は、第１サブフィールドのリセット期間とアドレス期間と同様である。ただし、サステイン期間には、スキャン電極(Ｙ)またはサステイン電極(Ｚ)にサステインパルス(ＳＵＳ)が交番的に供給される。この時、サステインパルスの幅(Ｗ２)は、従来一般的に供給されるサステインパルスの幅(Ｗ２)と等しい。
【００４７】
このように駆動される本発明の第１実施形態によるプラズマディスプレイパネルに於いて、スキャン電極(Ｙ)及びサステイン電極(Ｚ)中何れか一方の電極にだけサステインパルスを印加するサブフィールド(ＳＦ２)では、従来スキャン電極及びサステイン電極に交番的にサステインパルスを印加するサブフィールド(ＳＦ３)で現われる光による階調値よりさらに小さな階調値を表現するようになる。また、スキャン電極及びサステイン電極の中で何れか一方の電極にだけサステインパルスを印加する時、他のサブフィールド(ＳＦ２、ＳＦ３、ＳＦ４、・・・)のサステインパルス幅(Ｗ２)より小さな幅(Ｗ１)を持つサステインパルスを印加するサブフィールド(ＳＦ１)ではより細密な階調値を表現することができるようになる。
【００４８】
また、スキャン電極及びサステイン電極に交番的にサステインパルスを印加して階調を表現する従来プラズマディスプレイパネルの駆動方法においても、サステインパルス幅を狭くするによってより細密な階調値を表現することができるようになる。
<第２実施形態>
図６は、本発明の第２実施形態によるプラズマディスプレイ装置を示す図である。図６を参照すれば、本発明の第２実施形態によるプラズマディスプレイ装置は、第１実施形態と同様、プラズマディスプレイパネル１００と、プラズマディスプレイパネル１００の下部基板(図示せず)に形成されたアドレス電極(Ｘ１乃至Ｘｍ)にデータを供給するためのデータ駆動部１３２と、スキャン電極(Ｙ１乃至Ｙn)を駆動するためのスキャン駆動部１３３と、共通電極であるサステイン電極(Ｚ)を駆動するためのサステイン駆動部１３４と、最低階調を表示するためのサブフィールドでサステインパルスの電圧を調節するサステインパルス制御部１３６と、プラズマディスプレイパネル駆動の時データ駆動部１３２、スキャン駆動部１３３、 サステイン駆動部１３４及びサステインパルス制御部１３６を制御するためのタイミングコントロール部１３１と、それぞれの駆動部(１３２、１３３、１３４)に必要な駆動電圧を供給するための駆動電圧発生部１３５と、を含む。
【００４９】
第１実施形態と同じく、プラズマディスプレイパネル１００は、上部基板(図示せず)と下部基板(図示せず)とが一定な間隔を置いて合着されて構成される。上部基板には、複数の電極例えば、スキャン電極(Ｙ１乃至Ｙn)及びサステイン電極(Ｚ)が対を成して形成されている。下部基板には、スキャン電極(Ｙ１乃至Ｙn)及びサステイン電極(Ｚ)と交差されるようにアドレス電極(Ｘ１乃至Ｘｍ)が形成されている。
【００５０】
データ駆動部１３２には、図示しない逆ガンマ補正回路、誤差拡散回路等によって逆ガンマ補正及び誤差拡散にされた後、サブフィールドマッピング回路によって各サブフィールドにマッピングされたデータが供給される。このようなデータ駆動部１３２は、タイミングコントロール部１２１からのタイミング制御信号（ＣＴＲＸ）に応答してデータをサンプリングしてラッチした後、そのデータをアドレス電極(Ｘ１乃至Ｘｍ)に供給する。
【００５１】
スキャン駆動部１３３は、タイミングコントロール部１３１の制御下に、リセット期間の間に上昇ランプ波形(Ｒａｍｐ−ｕｐ)と下降ランプ波形(Ｒａｍｐ−ｄｏｗn)とをスキャン電極(Ｙ１乃至Ｙn)に供給する。また、スキャン駆動部１３３は、タイミングコントローラ131の制御下に、アドレス期間の間にスキャン電圧(-Ｖｙ)のスキャンパルス（Ｓｐ）をスキャン電極(Ｙ１乃至Ｙn)に順に供給する。さらに、スキャン駆動部１３３は、サステイン期間の間には、輝度加重値によってすなわち、階調値によってサステインパルス制御部１３６によって電圧が調節されたサステインパルス(ｓｕｓ)をスキャン電極(Ｙ１乃至Ｙn)に供給する。望ましくは、最低階調を表示するサブフィールドのサステイン期間中に電圧が調節されたサステインパルス(ｓｕｓ)をスキャン電極(Ｙ１乃至Ｙn)に供給する。
【００５２】
ここで最低階調とは、プラズマディスプレイパネルを複数個のサブフィールドで分けて駆動する時、各サブフィールドごとに輝度加重値をおいて階調を表現する時一番低い輝度加重値を持つサブフィールドでの階調値を言う。より正確には、所定サブフィールドのサステイン期間に輝度加重値が２０以下を持つサステインパルスが供給されて現われた階調を言う。
【００５３】
サステイン駆動部１３４は、タイミングコントロール部１３１の制御下に、下降ランプ波形(Ｒａｍｐ−ｄｏｗn)が発生される期間とアドレス期間の間とに、サステイン電圧(Ｖｓ)のバイアス電圧をサステイン電極(Ｚ)に供給する。サステイン駆動部１３４は、サステイン期間の間、スキャン駆動部１３３と交互に動作してサステインパルス(ｓｕｓ)をサステイン電極(Ｚ)に供給する。
【００５４】
また、サステイン駆動部１３４も、タイミングコントロール部１３１の制御下に、スキャン駆動部１３３と同じくサステイン期間の間には、輝度加重値によってすなわち、階調値によってサステインパルス制御部１３６によって電圧が調節されたサステインパルス(ｓｕｓ)をスキャン電極(Ｙ１乃至Ｙn)に供給する。望ましくは、複数個のサブフィールドの中で最低階調を表示するサブフィールドで、タイミングコントロール部１３１の制御下にパルスの電圧が調節されたサステインパルスをサステイン電極(Ｚ)に供給する。
【００５５】
サステインパルス制御部１３６は、各サブフィールドにマッピングされたデータの階調値によってタイミングコントロール部１３１の制御信号に応答してサステイン期間に供給されるサステインパルス電圧(Ｖｓ)を調節する。望ましくは、複数個のサブフィールドの中で最低階調を表示するサブフィールドのサステイン期間中には、残り他の階調を表示するサブフィールドのサステイン期間中に印加されるサステインパルスの電圧(Ｖｓ)と異なる電圧(Ｖｓ-ΔＶ)を持つサステインパルスをスキャン駆動部１３３及びサステイン駆動部１３４に供給する。この時、最低階調を表示するサステインパルスの電圧は、最小限放電開始電圧よりは高く、かつ、残り他の階調を表示するサステインパルスの電圧(Ｖｓ)より低く調節される。また、最低階調を表示するためのサステインパルスは、スキャン電極(Ｙ１乃至Ｙn)またはサステイン電極(Ｚ)中何れか一方の電極にだけ印加される。このようなサステインパルス制御部１３６は、スキャン駆動部１３３またはサステイン駆動部１３４に内蔵することができる。
【００５６】
タイミングコントロール部１３１は、垂直/水平同期信号とクロック信号との入力を受けて、リセット期間、アドレス期間、サステイン期間に、各駆動部(１３２、１３３、１３４)とサステインパルス制御部１３６との動作タイミング及び同期を制御するためのタイミング制御信号(ＣＴＲＸ、 ＣＴＲＹ、 ＣＴＲＺ、 ＣＴＲＥＲＳ２)を発生する。タイミングコントロール部１３１は、そのタイミング制御信号(ＣＴＲＸ、 ＣＴＲＹ、 ＣＴＲＺ、 ＣＴＲＥＲＳ２)を、該当の駆動部(１３２、１３３、１３４)とサステインパルス制御部１３６とに供給することで、各駆動部及び制御部(１３２、１３３、１３４、１３６)を制御する。
【００５７】
一方、データ制御信号（ＣＴＲＸ）には、データをサンプリングするためのサンプリングクロック、ラッチ制御信号、エネルギー回収回路と駆動スィッチ素子のオン/オフタイムを制御するためのスィッチ制御信号が含まれる。スキャン制御信号(ＣＴＲＹ)には、スキャン駆動部１２３内のエネルギー回収回路と駆動スィッチ素子のオン/オフタイムを制御するためのスィッチ制御信号が含まれる。サステイン制御信号(ＣＴＲＺ)には、サステイン駆動部１２４内のエネルギー回収回路と駆動スィッチ素子のオン/オフタイムを制御するためのスィッチ制御信号が含まれる。また、サステインパルスタイミング制御信号(ＣＴＲＥＲＳ２)には、サステインパルスの電圧を選択するためのスィッチ素子の制御信号が含まれる。
【００５８】
駆動電圧発生部１３５は、セットアップ電圧(Ｖｓｅｔｕｐ)、スキャン共通電圧(Ｖｓｃａｎ−ｃｏｍ)、スキャン電圧(-Ｖｙ)、サステイン電圧(Ｖｓ)、データ電圧(Ｖｄ)、サステイン電圧(Ｖｓ)以下の電圧(Ｖｓ-ΔＶ) などを発生する。このような駆動電圧は、放電ガスの組成や放電セル構造によって変わることができる。
【００５９】
図７は、本発明の第２実施形態によるプラズマディスプレイ装置の駆動方法を説明するための図である。図７を参照すれば、本発明の第２実施形態によるプラズマディスプレイパネルの駆動方法は、一フレーム期間を、リセット期間、 アドレス期間及びサステイン期間をそれぞれ含む複数のサブフィールド(ＳＦ１、ＳＦ２、ＳＦ３、ＳＦ４、・・・)に時分割して、各サブフィールドはそれぞれ所定の輝度加重値を持つように設定される。詳しくは、輝度加重値が一番低いサブフィールド(ＳＦ１)で供給されるサステインパルスは、他の輝度加重値を持つサブフィールド(ＳＦ２、ＳＦ３、ＳＦ４、・・・)で供給されるサステインパルスの電圧と異なるように調節されて供給される。これをより詳しく説明すると次の通りである。
(第１サブフィールド)
先ず、第１サブフィールド(ＳＦ１)のリセット期間には、正極性の高いリセットパルス(図示せず)または所定傾きを持つランプ信号形態のセットアップ/セットダウンパルスがスキャン電極(Ｚ)に供給されて、全画面のセル内にリセット放電を起こす。リセット放電によっての全画面のセルは均一に壁電荷が蓄積されるので放電特性が均一になる。
【００６０】
アドレス期間には、アドレス電極(Ｘ)にデータパルス(ｄａｔａ)が供給されて、そのデータパルス(ｄａｔａ)に同期されるようにスキャン電極(Ｙ)に順に負極性スキャンパルス（ｓｃａｎ）が供給される。このスキャンパルスとデータパルスの電圧差とリセット期間に生成された壁電圧とが加わりながら、データパルスが印加されるセル内にはアドレス放電が発生される。
【００６１】
サステイン期間には、スキャン電極(Ｙ)またはサステイン電極(Ｚ)にサステインパルス(ＳＵＳ)が交番的に供給されることができるが、望ましくは図示するのように、スキャン電極(Ｙ)またはサステイン電極(Ｚ)中何れか一方の電極にだけサステインパルスが供給されて、サステインパルスの電圧(Ｖｓ-ΔＶ)は他のサブフィールド(ＳＦ２、 ＳＦ３、 ＳＦ４、・・・)のサステイン期間に印加されるサステインパルスの電圧(Ｖｓ)より低く設定される。この場合、サステインパルスの電圧(Ｖｓ-ΔＶ)は、少なくとも放電開始のための電圧(Ｖf)よりは高くなければならない。
(第２サブフィールド)
第２サブフィールド(ＳＦ２)のリセット期間及びアドレス期間は、第１サブフィールドのリセット期間とアドレス期間と同様である。ただし、サステイン期間には、第１サブフィールドと同じくスキャン電極(Ｙ)またはサステイン電極(Ｚ)にサステインパルス(ＳＵＳ)が交番的に供給されることができるが、望ましくは図示するように、スキャン電極(Ｙ)またはサステイン電極(Ｚ)中何れか一方の電極にだけサステインパルスが供給されてサステイン放電が起きるようになる。この時、サステインパルスの電圧(Ｖｓ)は、従来一般的に供給されるサステインパルスの電圧(Ｖｓ)と等しい。
(第３サブフィールド)
第３サブフィールド(ＳＦ３)のリセット期間及びアドレス期間は、第１サブフィールドのリセット期間とアドレス期間と同様である。ただし、サステイン期間には、スキャン電極(Ｙ)またはサステイン電極(Ｚ)にサステインパルス(ｓｕｓ)が交番的に供給される。この時、サステインパルスの電圧(Ｖｓ)は、従来一般的に供給されるサステインパルスの電圧(Ｖｓ)と等しい。
【００６２】
このように駆動される本発明の第２実施形態によるプラズマディスプレイパネルに於いて、スキャン電極及びサステイン電極の中で何れか一方の電極にだけサステインパルスを印加するサブフィールド(ＳＦ２)では、従来のスキャン電極及びサステイン電極に交番的にサステインパルスを印加するサブフィールド(ＳＦ３)で現われる光による階調値よりさらに小さな階調値を表現するようになる。
【００６３】
また、スキャン電極及びサステイン電極の中で何れか一方の電極にだけサステインパルスを印加する時、他のサブフィールド(ＳＦ２、ＳＦ３、ＳＦ４、・・・)のサステインパルス電圧(Ｖｓ)より小さな電圧を持つサステインパルスを印加するサブフィールド(ＳＦ１)では、より細密な階調値を表現することができるようになる。
【００６４】
また、第１実施形態のプラズマディスプレイパネル駆動方法と同じくスキャン電極及びサステイン電極に交番的にサステインパルスを印加して階調を表現する従来のプラズマディスプレイパネルの駆動方法においても、サステインパルスの電圧を小さくするによってより細密な階調値を表現することができるようになる。
<第３実施形態>
図８は、本発明の第３実施形態によるプラズマディスプレイ装置を示す図である。図８を参照すれば、本発明の第３実施形態によるプラズマディスプレイ装置は、プラズマディスプレイパネル１００と、プラズマディスプレイパネル１００の下部基板(図示せず)に形成されたアドレス電極(Ｘ１ 乃至 Ｘｍ)にデータを供給するためのデータ駆動部１４２と、スキャン電極(Ｙ１乃至Ｙn)を駆動するためのスキャン駆動部１４３と、共通電極であるサステイン電極(Ｚ)を駆動するためのサステイン駆動部１４４と、最低階調を表示するためのサブフィールドでサステインパルスの傾きを調節するサステインパルス制御部１４６と、プラズマディスプレイパネル駆動の時にデータ駆動部１４２、スキャン駆動部１４３、サステイン駆動部１４４及びサステインパルス制御部１４６を制御するためのタイミングコントロール部１４１と、それぞれの駆動部(１４２、１４３、１４４)に必要な駆動電圧を供給するための駆動電圧発生部１４５と、を含む。
【００６５】
第１実施形態と同じく、プラズマディスプレイパネル１００は上部基板(図示せず)と下部基板(図示せず)とが一定な間隔を置いて合着されて構成される。上部基板には、複数の電極例えば、スキャン電極(Ｙ１乃至Ｙn)及びサステイン電極(Ｚ)が対を成して形成されている。下部基板には、スキャン電極(Ｙ１乃至Ｙn)及びサステイン電極(Ｚ)と交差されるようにアドレス電極(Ｘ１乃至Ｘｍ)が形成される。
【００６６】
データ駆動部１４２には、図示しない逆ガンマ補正回路、誤差拡散回路等によって逆ガンマ補正及び誤差拡散された後、サブフィールドマッピング回路によって各サブフィールドにマッピングされたデータが供給される。このようなデータ駆動部１４２は、タイミングコントロール部１４１からのタイミング制御信号（ＣＴＲＸ）に応答してデータをサンプリングしてラッチした後、そのデータをアドレス電極(Ｘ１乃至Ｘｍ)に供給する。
【００６７】
スキャン駆動部１４３は、タイミングコントロール部１４１の制御下に、リセット期間の間に、上昇ランプ波形(Ｒａｍｐ−ｕｐ)と下降ランプ波形(Ｒａｍｐ−ｄｏｗn)とをスキャン電極(Ｙ１乃至Ｙn)に供給する。また、スキャン駆動部１４３は、タイミングコントローラ(１４１)の制御下に、アドレス期間の間にスキャン電圧(-Ｖｙ)のスキャンパルス（ｓｃａｎ）をスキャン電極(Ｙ１乃至Ｙn)に順に供給する。また、スキャン駆動部１４３は、サステイン期間の間には、サステインパルスの制御部１４６によって輝度加重値に応じてすなわち、階調値に応じて傾きが調節されたサステインパルス(ｓｕｓ)をスキャン電極(Ｙ１乃至Ｙn)に供給する。望ましくは最低階調を表示するサブフィールドのサステイン期間中に傾きが調節されたサステインパルス(Ｓｕｓ)をスキャン電極(Ｙ１乃至Ｙn)に供給する。ここで、最低階調とは、プラズマディスプレイパネルを複数個のサブフィールドで分けて駆動する時、各サブフィールドごとに輝度加重値を置いて階調を表現する時一番低い輝度加重値を持つサブフィールドでの階調値を言う。より正確には、所定サブフィールドのサステイン期間に輝度加重値が２０以下を持つサステインパルスが供給されて現われた階調を言う。
【００６８】
サステイン駆動部１４４は、タイミングコントロール部１４１の制御下に、下降ランプ波形(Ｒａｍｐ−ｄｏｗn)が発生される期間とアドレス期間の間とにサステイン電圧(Ｖｓ)のバイアス電圧をサステイン電極(Ｚ)に供給する。また、サステイン駆動部１４４は、サステイン期間の間、スキャン駆動部１４３と交互に動作してサステインパルス(ｓｕｓ)をサステイン電極(Ｚ)に供給する。また、サステイン駆動部１４４も、タイミングコントロール部１４１の制御下に、スキャン駆動部１４３と同じくサステイン期間の間には、輝度加重値によってすなわち、階調値によってサステインパルスの制御部１４６によって傾きが調節されたサステインパルス(Ｓｕｓ)をスキャン電極(Ｙ１乃至Ｙn)に供給する。望ましくは、複数個のサブフィールドの中で最低階調を表示するサブフィールドでタイミングコントロール部１４１の制御下にパルスの傾きが調節されたサステインパルスをサステイン電極(Ｚ)に供給する。
【００６９】
サステインパルス制御部１４６は、各サブフィールドにマッピングされたデータの階調値によって、タイミングコントロール部１４１の制御信号に応答してサステイン期間に供給されるサステインパルスの傾きを調節する。望ましくは複数個のサブフィールドの中で最低階調を表示するサブフィールドのサステイン期間中には、残り他の階調を表示するサブフィールドのサステイン期間中に印加されるサステインパルスの傾きと異なる傾きを持つサステインパルスをスキャン駆動部１４３及びサステイン駆動部１４４に供給する。この時、最低階調を表示するサステインパルスの傾きは、残り他の階調を表示するサステインパルスの傾きより小さく調節される。また、最低階調を表示するためのサステインパルスは、スキャン電極(Ｙ１乃至Ｙn)またはサステイン電極(Ｚ)中何れか一方の電極にだけ印加される。このようなサステインパルス制御部１４６はスキャン駆動部またはサステイン駆動部に内蔵することができる。
【００７０】
タイミングコントロール部１４１は、垂直/水平同期信号とクロック信号との入力を受けて、リセット期間、アドレス期間、サステイン期間に各駆動部(１４２、１４３、１４４)とサステインパルスの制御部１４６との動作タイミング及び同期を制御するためのタイミング制御信号(ＣＴＲＸ、ＣＴＲＹ、 ＣＴＲＺ、 ＣＴＲＥＲＳ３)を発生する。タイミングコントロール部１４１は、そのタイミング制御信号(ＣＴＲＸ、 ＣＴＲＹ、  ＣＴＲＺ、 ＣＴＲＥＲＳ３)を該当の駆動部(１４２、１４３、１４４)とサステインパルス制御部１４６に供給することで各駆動部を制御する。
【００７１】
一方、データ制御信号（ＣＴＲＸ）には、データをサンプリングするためのサンプリングクロック、ラッチ制御信号、エネルギー回収回路と駆動スィッチ素子のオン/オフタイムを制御するためのスィッチ制御信号が含まれる。スキャン制御信号(ＣＴＲＹ)には、スキャン駆動部１４３内のエネルギー回収回路と駆動スィッチ素子のオン/オフタイムを制御するためのスィッチ制御信号が含まれている。サステイン制御信号(ＣＴＲＺ)には、サステイン駆動部１４４内のエネルギー回収回路と駆動スィッチ素子のオン/オフタイムを制御するためのスィッチ制御信号が含まれる。また、サステインパルスの傾き制御信号(ＣＴＲＥＲＳ３)には、サステインパルスの傾きを選択するためのスィッチ素子の制御信号が含まれる。
【００７２】
駆動電圧発生部１４５は、セットアップ電圧(Ｖｓｅｔｕｐ)、スキャン共通電圧(Ｖｓｃａｎ−ｃｏｍ)、スキャン電圧(-Ｖｙ)、サステイン電圧(Ｖｓ)、 データ電圧(Ｖｄ)などを発生する。このような駆動電圧は、放電ガスの組成や放電セルの構造によって変わることができる。
【００７３】
図９は、本発明の第３実施形態によるプラズマディスプレイ装置の駆動方法を説明するための図である。図９を参照すれば、本発明の第３実施形態によるプラズマディスプレイパネルの駆動方法は、一フレーム期間を、リセット期間、アドレス期間及びサステイン期間をそれぞれ含む複数のサブフィールド(ＳＦ１、ＳＦ２、ＳＦ３、ＳＦ４、・・・)に時分割して、各サブフィールドはそれぞれ所定の輝度加重値を持つように設定される。詳しくは、輝度加重値が一番低いサブフィールド(ＳＦ１)で供給されるサステインパルスは、他の輝度加重値を持つサブフィールド(ＳＦ２、ＳＦ３、ＳＦ４、・・・)で供給されるサステインパルスの傾きと異なるように調節されて供給される。これをより詳しく説明すれば次の通りである。
(第１サブフィールド)
先ず、第１サブフィールド(ＳＦ１)のリセット期間は、正極性の高いリセットパルスまたは所定傾きを持つランプ信号形態のセットアップ/セットダウンパルスがスキャン電極に供給されて全画面のセル内にリセット放電を起こす。 リセット放電によっての全画面のセルは均一に壁電荷が蓄積されるので放電特性が均一になる。
【００７４】
アドレス期間には、アドレス電極(Ｘ)にデータパルス(ｄａｔａ)が供給されて、そのデータパルス(ｄａｔａ)に同期されるようにスキャン電極(Ｙ)に順にスキャンパルス（ｓｃａｎ）が供給される。データパルス(ｄａｔａ)とスキャンパルス（ｓｃａｎ）の間の電圧の差とセル内の壁電圧とが加わりながら、データパルス(ｄａｔａ)が印加されたセルはアドレス放電が起きるようになる。
【００７５】
サステイン期間には、スキャン電極(Ｙ)またはサステイン電極(Ｚ)にサステインパルス(Ｓｕｓ)が交番的に供給されるが、望ましくは示すのように、スキャン電極またはサステイン電極の中で何れか一方の電極にだけサステインパルスが供給されて、サステインパルスの傾き(Θ１)は、他のサブフィールド(ＳＦ２、ＳＦ３、ＳＦ４、・・・)のサステイン期間に印加されるサステインパルスの傾き(Θ２)より小さく設定される。すなわち、傾き（Θ１）が５０Ｖ/μｓ以下のサステインパルスが、スキャン電極またはサステイン電極の中で何れか一方の電極にだけ供給される。このようなサステインパルス傾き(Θ１)の上限値である５０Ｖ/μｓは、一般的な傾きを持つサステインパルスがスキャン電極(Ｙ１乃至Ｙn) またはサステイン電極(Ｚ)に供給されて出た光量と比べて階調差を持つことができる数値である。
(第２サブフィールド)
第２サブフィールド(ＳＦ２)のリセット期間及びアドレス期間は、第１サブフィールドのリセット期間とアドレス期間と同様である。ただし、サステイン期間には、スキャン電極(Ｙ)またはサステイン電極(Ｚ)にサステインパルス(ＳＵＳ)が交番的に供給されるが、望ましくは示すのように、スキャン電極またはサステイン電極の中で何れか一方の電極にだけサステインパルスが供給されてサステイン放電が起きるようになる。この時、サステインパルスの傾き(Θ２)は、従来一般的に供給されるサステインパルスの傾きと等しい。
(第３サブフィールド)
第３サブフィールド(ＳＦ３)のリセット期間及びアドレス期間は、第１サブフィールドのリセット期間とアドレス期間と同様である。ただし、サステイン期間には、スキャン電極(Ｙ)またはサステイン電極(Ｚ)にサステインパルス(ＳＵＳ)が交番的に供給される。この時、サステインパルスの傾きは従来一般的に供給されるサステインパルスの傾きと等しい。
【００７６】
このように駆動される本発明の第３実施形態によるプラズマディスプレイパネルに於いて、スキャン電極及びサステイン電極の中で何れか一方の電極にだけサステインパルスを印加するサブフィールド(ＳＦ２)では、従来のスキャン電極及びサステイン電極に交番的にサステインパルスを印加するサブフィールド(ＳＦ３)で現われる光による階調値よりさらに小さな階調値を表現するようになる。
【００７７】
また、スキャン電極及びサステイン電極の中で何れか一方の電極にだけサステインパルスを印加する時、他のサブフィールド(ＳＦ２、ＳＦ３、ＳＦ４、・・・)のサステインパルス傾きより小さな傾きを持つサステインパルスを印加するサブフィールド(ＳＦ１)ではより細密な階調値を表現することができるようになる。
【００７８】
また、第２実施形態のプラズマディスプレイパネル駆動方法と同じく、スキャン電極及びサステイン電極に交番的にサステインパルスを印加して階調を表現する従来プラズマディスプレイパネルの駆動方法においても、サステインパルスの傾きを小さくするによってより細密な階調値を表現することができるようになる。
【００７９】
以上で見たように、 前述した本発明の技術的構成は、本発明が属する技術分野の当業者が、本発明のその技術的思想や必須特徴を変更しなくても他の具体的な形態で実施されることができるということを理解することができるべきである。従って、以上で記述した実施形態はすべての面で例示的なことで限定的なのではないこととして理解されなければならないし、本発明の範囲は前記詳細な説明よりは前述する特許請求範囲によって現わされ、特許請求範囲の意味及び範囲そしてその等価概念から導出されるすべての変更または変形された形態が本発明の範囲に含まれることに解釈されなければならない。
【図面の簡単な説明】
【００８０】
【図１】従来のマトリックス形態に配列された放電セル構造を持つ３電極交流面放電型ＰＤＰの構造を示す斜視図。
【図２】従来のＰＤＰの駆動方法を説明するための駆動波形を示す図。
【図３】従来のＰＤＰの画像階調を表現する方法を示す図。
【図４】本発明の第１実施形態によるプラズマディスプレイ装置を示す図。
【図５】本発明の第１実施形態によるプラズマディスプレイ装置の駆動方法を説明するための図。
【図６】本発明の第２実施形態によるプラズマディスプレイ装置を示す図。
【図７】本発明の第２実施形態によるプラズマディスプレイ装置の駆動方法を説明するための図。
【図８】本発明の第３実施形態によるプラズマディスプレイ装置を示す図。
【図９】本発明の第３実施形態によるプラズマディスプレイ装置の駆動方法を説明するための図。
【符号の説明】
【００８１】
１２１、１３１、１４１：タイミングコントロール部        
１２２、１３２、１４２：データ駆動部
１２３、１３３、１４３：スキャン駆動部           
１２４、１３４、１４４：サステイン駆動部
１２５、１３５、１４５：駆動電圧発生部
１２６、１３６、１４６：サステインパルス制御部
【図１】
2006235574.tif 000003
【図２】
2006235574.tif 000004
【図３】
2006235574.tif 000005
【図４】
2006235574.tif 000006
【図５】
2006235574.tif 000007
【図６】
2006235574.tif 000008
【図７】
2006235574.tif 000009
【図８】
2006235574.tif 000010
【図９】
2006235574.tif 000011